(57)【特許請求の範囲】
【請求項１】
写真シール作成装置および携帯端末装置との間で通信を行うことが可能な画像提供サーバであって、
前記写真シール作成装置から、照合ＩＤとともに写真画像を受信する受信手段と、
前記携帯端末装置のメールアドレスを取得せずに、前記携帯端末装置からのｈｔｔｐリクエストにより、その携帯端末装置を特定するための端末ＩＤを受信し、照合ＩＤとともに写真画像のリクエストを受付ける受付手段と、
前記受付手段で受付けた照合ＩＤと、受信した前記端末ＩＤとを関連付けて保存する保存手段と、
前記リクエストにおける照合ＩＤに対応する写真画像の取得をユーザに待機させるための第１の画面を、前記携帯端末装置に表示させる第１の表示手段とを備え、
前記第１の画面は、前記受信した端末ＩＤに関連付けられた照合ＩＤに対応する写真画像の取得状況を示す画面であり、更新されることにより再読込が行われ、更新において前記画像提供サーバは、前記照合ＩＤに対応する写真画像の登録状況を確認する、画像提供サーバ。
【請求項２】
前記受付手段でリクエストを受付けたときに、そのリクエストにおける照合ＩＤに対応する写真画像が、前記受信手段で受信されているか否かを判定する判定手段と、
前記判定手段で受信されていると判定されたときに、前記リクエストにおける照合ＩＤに対応する写真画像をユーザに取得させるための第２の画面を、前記携帯端末装置に表示させる第２の表示手段とをさらに備え、
前記第１の表示手段は、前記判定手段で受信されていないと判定されたときに、前記第１の画面を、前記携帯端末装置に表示させる、請求項１に記載の画像提供サーバ。
【請求項３】
前記受付手段が前記携帯端末装置から受付ける照合ＩＤは、前記写真シール作成装置から、通信により前記携帯端末装置に送信された照合ＩＤである、請求項１または２に記載の画像提供サーバ。
【請求項４】
前記第１の表示手段で表示が行われた場合において、前記リクエストにおける照合ＩＤに対応する写真画像が前記受信手段で受信された後、前記第２の画面を表示させるための画面を、前記携帯端末装置に表示させる第３の表示手段を備えた、請求項１から３のいずれかに記載の画像提供サーバ。
【請求項５】
複数の写真画像を生成する生成手段と、
前記複数の写真画像のうち、ユーザが携帯端末装置で取得したい写真画像の選択を受付ける受付手段と、
少なくとも前記受付手段で選択を受付けた写真画像を、照合ＩＤとともに前記画像提供サーバへ送信する送信手段とを備えた、請求項１から４のいずれかに記載の画像提供サーバと通信可能に構成される、写真シール作成装置。
【請求項６】
写真シール作成装置および携帯端末装置との間で通信を行うことが可能な画像提供サーバの制御方法であって、
前記写真シール作成装置から、照合ＩＤとともに写真画像を受信する受信ステップと、
前記携帯端末装置のメールアドレスを取得せずに、前記携帯端末装置からのｈｔｔｐリクエストにより、その携帯端末装置を特定するための端末ＩＤを受信し、照合ＩＤとともに写真画像のリクエストを受付ける受付ステップと、
前記受付ステップで受付けた照合ＩＤと、受信した前記端末ＩＤとを関連付けて保存する保存ステップと、
前記リクエストにおける照合ＩＤに対応する写真画像の取得をユーザに待機させるための第１の画面を、前記携帯端末装置に表示させる第１の表示ステップとを備え、
前記第１の画面は、前記受信した端末ＩＤに関連付けられた照合ＩＤに対応する写真画像の取得状況を示す画面であり、更新されることにより再読込が行われ、更新において前記画像提供サーバは、前記照合ＩＤに対応する写真画像の登録状況を確認する、画像提供サーバの制御方法。
【請求項７】
写真シール作成装置および携帯端末装置との間で通信を行うことが可能な画像提供サーバの制御プログラムであって、
前記写真シール作成装置から、照合ＩＤとともに写真画像を受信する受信ステップと、
前記携帯端末装置のメールアドレスを取得せずに、前記携帯端末装置からのｈｔｔｐリクエストにより、その携帯端末装置を特定するための端末ＩＤを受信し、照合ＩＤとともに写真画像のリクエストを受付ける受付ステップと、
前記受付ステップで受付けた照合ＩＤと、受信した前記端末ＩＤとを関連付けて保存する保存ステップと、
前記リクエストにおける照合ＩＤに対応する写真画像の取得をユーザに待機させるための第１の画面を、前記携帯端末装置に表示させる第１の表示ステップとをコンピュータに実行させ、
前記第１の画面は、前記受信した端末ＩＤに関連付けられた照合ＩＤに対応する写真画像の取得状況を示す画面であり、更新されることにより再読込が行われ、更新において前記画像提供サーバは、前記照合ＩＤに対応する写真画像の登録状況を確認する、画像提供サーバの制御プログラム。
【発明の詳細な説明】
【技術分野】
【０００１】
この発明は画像提供サーバ、および写真シール作成装置に関し、特に、装置利用者の携帯端末装置を利用して通信により装置利用者に写真画像を提供する画像提供サーバ、および写真シール作成装置に関する。
【背景技術】
【０００２】
ゲームセンターなどに設置され、装置利用者の写真を撮影し、その画像に対して利用者（ユーザ）が画像の編集（落書き）を行なった後に、それをシールなどのプリント物として提供する写真シール作成装置が知られている。また、写真シール作成装置で撮影された写真を、利用者の所持する携帯電話、ＰＤＡ（携帯情報端末）等の携帯端末装置へ送信し、待ち受け写真とするサービスがある。
【０００３】
具体的には、写真シール作成装置にＰＨＳ（Ｐｅｒｓｏｎａｌ  Ｈａｎｄｙ−ｐｈｏｎｅ  Ｓｙｓｔｅｍ）ユニットなどによって実現される送信機能を備えさせ、撮影および編集された写真を外部のサーバへ送信させる。閲覧用のＵＲＬ（Ｕｎｉｆｏｒｍ  Ｒｅｓｏｕｒｃｅ  Ｌｏｃａｔｏｒ）とＩＤ（Ｉｄｅｎｔｉｆｉｃａｔｉｏｎ  Ｄａｔａ：識別情報）をシールに印刷することで、ユーザは上記携帯端末装置から上記閲覧用のＵＲＬにアクセスし、ＩＤを入力してサーバで記憶されている写真を取得する。
【０００４】
ＩＤの入力の手間を省くために、ユーザの指定するメールアドレスに閲覧用のＵＲＬを含むメールを送信し、送信されたＵＲＬにアクセスすることによりサーバで記憶されている写真を提供する方法もある。
【０００５】
すなわちユーザは、写真シール作成装置上で携帯端末装置のメールアドレスを入力する。ユーザが入力したメールアドレスは、サーバ上に記録される。サーバからそのアドレス宛にメールが送信される。送信されたメールには、待ち受け写真をアップロードしたサーバのＵＲＬが記載されている。ユーザは、そのＵＲＬから待ち受け写真をダウンロードする。
【０００６】
一般に、写真シール作成装置では、複数枚の写真を作成するため、これら複数枚の写真をディスプレイに表示し、利用者から好みの写真の選択を受付けることが行なわれている。また、ＷＥＢサイト会員を獲得するためなどの目的で、選択した写真以外の写真も合わせてサーバへ送信し、会員には、選択した写真以外の写真も閲覧させるサービスを提供することが行なわれている。
【０００７】
サーバは、複数のユーザの待ち受け写真を同時に処理するため、それらをＩＤなどによって区分けして管理する。
【０００８】
下記特許文献１には、写真シール作成装置において、ユーザのメールアドレスを入力させる画面に、ＱＲ（Ｑｕｉｃｋ  Ｒｅｓｐｏｎｓｅ）コードを表示し、メールアドレスの入力に代えてＱＲコードを携帯端末装置で読み取ることで、携帯端末装置からサーバにアクセス可能な写真シール機が開示されている。
【０００９】
また、下記特許文献２には、写真撮影プリント装置から画像保存サーバに合成画像を送信し、ユーザ端末からメールを受信すると、画像にアクセスするための情報を送信する画像転送システムが開示されている。
【００１０】
また、下記特許文献３には、携帯端末装置と無線通信を行うために必要な通信設定情報を、携帯端末装置が備える非接触型ＩＣチップから読み出して取得する写真撮影プリント装置が開示されている。
【００１１】
また、下記特許文献４には、サムネイル画像作成部が生成した複数のサムネイル画像と、サーバアクセス提供部が提供したアクセス機能データとを、携帯端末装置が備える非接触型ＩＣに書き込むリーダ／ライタ部を備えた写真撮影プリント装置が開示されている。
【特許文献１】特開２００９−２５８２５１号公報
【特許文献２】特開２００８−１９１７１４号公報
【特許文献３】特開２０１０−１８３１５６号公報
【特許文献４】特開２０１０−１６６４３５号公報
【発明の開示】
【発明が解決しようとする課題】
【００１２】
ユーザにメールアドレスを入力させることとすると、入力ミスにより正しくメールを送信できない場合がある。また、ユーザにとって入力は煩わしいという問題がある。また、
入力間違いでメールが届かないなどの問題がある。
【００１３】
例えば上記特許文献１のように、画像ＩＤやサーバのＵＲＬをＱＲコードで画面に表示し、そのＱＲコードを携帯で読み取らせるようにすることも考えられる。これによると、ＱＲコードを用いて、サーバへメールでユーザの携帯端末装置のメールアドレスを送ることができる。
【００１４】
ユーザの携帯端末装置のアドレスを写真シール作成装置の運営者が知ることができれば、その後運営者はそのアドレスに広告メールなどを送信したり、そのアドレスを利用者情報として管理できることができる。
【００１５】
しかし、メールアドレスを教えたくないというユーザも多数存在する。また、写真シール作成装置の利用（プレイ）のたびにメールがくるのはユーザにとってわずらわしいという問題がある。また、メールでＵＲＬを受け取ったユーザはそのＵＲＬをブックマークすることで、再度写真を閲覧することができるが、プレイのたびにブックマークが増えるのはわずらわしいというユーザも存在する。
【００１６】
本発明はそのような問題点を解決するためになされたものであり、ユーザによるメールアドレス入力の手間を軽減させることができ、かつユーザの利便性の高い画像提供サーバ、および写真シール作成装置を提供することを目的としている。
【課題を解決するための手段】
【００１７】
上記目的を達成するためこの発明のある局面に従うと、写真シール作成装置および携帯端末装置との間で通信を行うことが可能な画像提供サーバは、前記写真シール作成装置から、照合ＩＤとともに写真画像を受信する受信手段と、前記携帯端末装置から、その携帯端末装置を特定するための端末ＩＤを受信し、照合ＩＤとともに写真画像のリクエストを受付ける受付手段と、前記受付手段で受付けた照合ＩＤと、受信した前記端末ＩＤとを関連付けて保存する保存手段と、前記リクエストにおける照合ＩＤに対応する写真画像の取得をユーザに待機させるための第１の画面を、前記携帯端末装置に表示させる第１の表示手段とを備え、前記第１の画面は、前記受信した端末ＩＤに関連付けられた照合ＩＤに対応する写真画像の取得状況を示す画面である。
【００１８】
好ましくは画像提供サーバは、前記受付手段でリクエストを受付けたときに、そのリクエストにおける照合ＩＤに対応する写真画像が、前記受信手段で受信されているか否かを判定する判定手段と、前記判定手段で受信されていると判定されたときに、前記リクエストにおける照合ＩＤに対応する写真画像をユーザに取得させるための第２の画面を、前記携帯端末装置に表示させる第２の表示手段とをさらに備え、前記第１の表示手段は、前記判定手段で受信されていないと判定されたときに、前記第１の画面を、前記携帯端末装置に表示させる。
【００１９】
好ましくは前記受付手段が前記携帯端末装置から受付ける照合ＩＤは、前記写真シール作成装置から、通信により前記携帯端末装置に送信された照合ＩＤである。
【００２０】
好ましくは画像提供サーバは、前記第２の表示手段で表示が行われた場合において、前記リクエストにおける照合ＩＤに対応する写真画像が前記受信手段で受信された後、前記第２の画面を表示させるための画面を、前記携帯端末装置に表示させる第３の表示手段を備える。
【００２１】
この発明の他の局面に従うと、写真シール作成装置は、複数の写真画像を生成する生成手段と、前記生成手段で生成された写真画像を印刷する印刷手段と、前記複数の写真画像のうち、ユーザが携帯端末装置で取得したい写真画像の選択を受付ける受付手段と、少なくとも前記受付手段で選択を受付けた写真画像の取得をユーザに可能とするために、ユーザの携帯端末装置に、サーバへアクセスするための情報を送信する第１の送信手段と、少なくとも前記受付手段で選択を受付けた写真画像をサーバへ送信する第２の送信手段と、前記第１の送信手段によってユーザの携帯端末装置に情報を送信した後に、さらに、他のユーザの携帯端末装置に対してサーバへアクセスするための情報を送信する必要があるときは、前記第１の送信手段を用いて、当該他のユーザの携帯端末装置に情報を送信するよう制御を行う制御手段とを備える。
【００２２】
好ましくは前記第１の送信手段は、近距離通信により通信を行う。
【００２３】
好ましくは前記第１の送信手段は、ユーザの携帯端末装置に、サーバへアクセスするためのＵＲＬを送信する。
【００２４】
この発明のさらに他の局面に従うと、写真シール作成装置および携帯端末装置との間で通信を行うことが可能な画像提供サーバの制御方法は、前記写真シール作成装置から、照合ＩＤとともに写真画像を受信する受信ステップと、前記携帯端末装置から、その携帯端末装置を特定するための端末ＩＤを受信し、照合ＩＤとともに写真画像のリクエストを受付ける受付ステップと、前記受付ステップで受付けた照合ＩＤと、受信した前記端末ＩＤとを関連付けて保存する保存ステップと、前記リクエストにおける照合ＩＤに対応する写真画像の取得をユーザに待機させるための第１の画面を、前記携帯端末装置に表示させる第１の表示ステップとを備え、前記第１の画面は、前記受信した端末ＩＤに関連付けられた照合ＩＤに対応する写真画像の取得状況を示す画面である。
【００２５】
この発明のさらに他の局面に従うと、ユーザの携帯端末装置に、サーバへアクセスするための情報を送信する送信手段を備えた写真シール作成装置の制御方法は、複数の写真画像を生成する生成ステップと、前記生成ステップで生成された写真画像を印刷する印刷ステップと、前記複数の写真画像のうち、ユーザが携帯端末装置で取得したい写真画像の選択を受付ける受付ステップと、少なくとも前記受付ステップで選択を受付けた写真画像の取得をユーザに可能とするために、前記送信手段を用いて、ユーザの携帯端末装置にサーバへアクセスするための情報を送信する第１の送信ステップと、少なくとも前記受付ステップで選択を受付けた写真画像をサーバへ送信する第２の送信ステップと、前記第１の送信ステップによってユーザの携帯端末装置に情報を送信した後に、さらに、他のユーザの携帯端末装置に対してサーバへアクセスするための情報を送信する必要があるときは、前記送信手段を用いて、当該他のユーザの携帯端末装置に情報を送信するよう制御を行う制御ステップとを備える。
【００２６】
この発明のさらに他の局面に従うと、写真シール作成装置および携帯端末装置との間で通信を行うことが可能な画像提供サーバの制御プログラムは、前記写真シール作成装置から、照合ＩＤとともに写真画像を受信する受信ステップと、前記携帯端末装置から、その携帯端末装置を特定するための端末ＩＤを受信し、照合ＩＤとともに写真画像のリクエストを受付ける受付ステップと、前記受付ステップで受付けた照合ＩＤと、受信した前記端末ＩＤとを関連付けて保存する保存ステップと、前記リクエストにおける照合ＩＤに対応する写真画像の取得をユーザに待機させるための第１の画面を、前記携帯端末装置に表示させる第１の表示ステップとをコンピュータに実行させ、前記第１の画面は、前記受信した端末ＩＤに関連付けられた照合ＩＤに対応する写真画像の取得状況を示す画面である。
【００２７】
この発明のさらに他の局面に従うと、ユーザの携帯端末装置に、サーバへアクセスするための情報を送信する送信手段を備えた写真シール作成装置の制御プログラムは、複数の写真画像を生成する生成ステップと、前記生成ステップで生成された写真画像を印刷する印刷ステップと、前記複数の写真画像のうち、ユーザが携帯端末装置で取得したい写真画像の選択を受付ける受付ステップと、少なくとも前記受付ステップで選択を受付けた写真画像の取得をユーザに可能とするために、前記送信手段を用いて、ユーザの携帯端末装置にサーバへアクセスするための情報を送信する第１の送信ステップと、少なくとも前記受付ステップで選択を受付けた写真画像をサーバへ送信する第２の送信ステップと、前記第１の送信ステップによってユーザの携帯端末装置に情報を送信した後に、さらに、他のユーザの携帯端末装置に対してサーバへアクセスするための情報を送信する必要があるときは、前記送信手段を用いて、当該他のユーザの携帯端末装置に情報を送信するよう制御を行う制御ステップとをコンピュータに実行させる。
【発明の効果】
【００２８】
これらの発明によると、ユーザによるメールアドレス入力の手間を軽減させることができ、かつユーザの利便性の高い画像提供サーバ、および写真シール作成装置を提供することが可能となる。
【発明を実施するための最良の形態】
【００２９】
［第１の実施の形態］
【００３０】
図１は、本発明の実施の形態の１つにおける写真シール作成装置のネットワーク接続例を示す図である。
【００３１】
様々な店舗に設置される複数の写真シール作成装置（機種Ａ）１ａ〜１ｃ、および写真シール作成装置（機種Ｂ）２ａ，２ｂは、インターネットなどのネットワークＮに接続されている。写真シール作成装置１ａ〜１ｃには、撮影や画像入力（編集操作）により得られた画像データなどを記憶する記憶部と、記憶部に記憶された画像データなどを外部に送信するための送信部が備えられている。本実施の形態における送信部は、ＰＨＳカードを差込可能なＰＨＳユニットである。
【００３２】
また、ネットワークＮには、画像提供サーバ２０１が、ＬＡＮ回線などの通信部によってルータに接続し、ルータを介して接続されている。画像提供サーバ２０１は、通信部２０１ａと、制御部２０１ｂと、記憶部２０１ｃとを有している。
【００３３】
ネットワークＮには複数の利用者（ユーザ）の携帯端末装置２０５ａ〜２０５ｃが接続される。携帯端末装置２０５ａ〜２０５ｃのそれぞれは、通信部２０７と、操作部２０９と、表示部２１１と、記憶部２１３と、画像を取得するためのカメラ１０５とを有している。
【００３４】
写真シール作成装置１ａ〜１ｃ，２ａ，２ｂで得られた画像データは、その記憶部内の送信フォルダに記憶され、ＰＨＳカードなどの通信機器を介してネットワークＮに接続された画像提供サーバ２０１へ送信される。画像提供サーバ２０１は、得られた画像データを記憶する。
【００３５】
また、携帯端末装置２０５ａ〜２０５ｃにより、ネットワークＮを介して画像提供サーバ２０１に蓄積された画像データをユーザは受信することができ、これにより画像データを携帯端末装置２０５ａ〜２０５ｃの待受け画面などに利用することが可能となる。
【００３６】
図２は、本発明の実施の形態の１つにおける写真シール作成装置の外観を撮影コーナー側から見た斜視図であり、図３は、本発明の実施の形態の１つにおける写真シール作成装置の外観をプリントコーナーおよび落書きコーナー側から見た斜視図である。
【００３７】
また、図４は、撮影コーナーの内部からカメラ１０が存在する方向を見た図であり、図５は、撮影コーナーの内部からカメラ１０が存在する方向とは逆の方向を見た図である。さらに図６は、プリントコーナーおよび落書きコーナーを拡大した図である。
【００３８】
図２、４および５を参照して、写真シール作成装置は、撮影コーナー３０１内の被写体である装置利用者を撮影するためのカメラ１０と、カメラ１０により得られた映像をリアルタイムに表示し、かつユーザからの入力を受付けるタッチパネルを備えたディスプレイ１１と、蛍光灯１４やストロボ１５を内蔵する複数の照明パネルと、撮影のための対価であるコインを投入するためのコイン投入口５１と、金庫ボックスにつながる扉５５とを備えている。
【００３９】
また、写真シール作成装置の上部には、撮影時に音楽を流したり、操作案内のための音声を出力する２つのスピーカ４５０（図７）が備えられている。写真シール作成装置の内部には、被写体であるユーザが座ることができる撮影用椅子や、撮影時の背面となる壁が設けられる。撮影用椅子や壁は、カメラ１０により撮影された画像に対してクロマキー処理を施すためのクロマキー色で彩色されている。
【００４０】
それぞれの照明パネルの奥は、それぞれ箱状に形成され、その箱内部に蛍光灯、ストロボ（光源）が配置され、それらの光源からの光が照明パネルを介して被写体に照射される。また、図５に示されるように、撮影コーナーの後部にも、蛍光灯１４やストロボ１５を備えた照明装置が複数設けられている。
【００４１】
図３および６を参照して、写真シール作成装置の撮影空間外には、編集装置を備えた落書きコーナー３０３と、プリント物を提供するためのプリントコーナー３０５とが設けられている。
【００４２】
落書きコーナーの編集装置は、２組のユーザが向かい合って使用することができるように、２台が背中合わせに設置されている。編集装置は、撮影により得られた画像を表示し、画像の編集のための入力を受付けるディスプレイ４０と、ディスプレイ４０に入力を行なうためのタブレットペン４２とを備えている。
【００４３】
プリント物を提供するためのプリントコーナー３０５には、プリント物を排出するプリント提供部８と、画像の送信に関する情報などを表示するディスプレイ９５と、ディスプレイ９５の上に積層され、ユーザからの指による入力を受付けるタッチパネル９２と、画像の送信に関する案内を行うスピーカ９６（図７）と、ユーザの携帯端末装置と近距離・非接触通信を行う非接触通信装置９７が備えられている。
【００４４】
非接触通信装置９７による通信の具体例として、ＦｅｌｉＣａ（登録商標）による通信が挙げられる。
【００４５】
図７は、写真シール作成装置の機能構成の具体例を示す図である。
【００４６】
図７を参照して、本実施の形態にかかる写真シール作成装置は、各機能や処理動作のための演算、制御の中心部となり、主に撮影側で行なわれるプレイの処理動作と、印刷と、主に編集側で行なわれるプレイの処理動作を実行するコンピュータ装置１０１と、コンピュータ装置１０１からの指示を受けて、接続してある各種装置を制御、駆動する制御基板（ＤＩＯ）１０２とを備える。コンピュータ装置１０１は、接続された各種機器との間で画像データや情報データなどの授受を行なう。コンピュータ装置１０１は、写真シール作成装置の制御手段として機能する。
【００４７】
写真シール作成装置は、電源を必要とする蛍光灯１４、ストロボ１５、制御基板１０２などの電源系統を制御する電源制御部を備え、それらの装置に対する電源の電圧を安定させるよう制御する。図示はしていないが、電源制御部はストロボ１５などの他にも電源を必要とする機器に接続し、同様の制御を行なう。さらに、そのような電源の投入および切断は、電源スイッチを押すことで行なわれる。しかし、電源切断によりコンピュータ装置１０１で動作しているプログラムを強制的に終了させることは、動作を不安定にさせる原因となる。そのため、電源が落とされても、しばらくはＵＰＳ（Ｕｎｉｎｔｅｒｒｕｐｔｅｄ  Ｐｏｗｅｒ  Ｓｕｐｐｌｙ）が電源をバックアップし、コンピュータ装置１０１に停電信号を送信する。その間に、コンピュータ装置１０１はプログラムの終了の手続を行ない、プログラムを正常に終了させる。一方、コンピュータ装置１０１を正規の手順で終了した場合は、その旨の信号がＵＰＳに送信される。
【００４８】
コンピュータ装置１０１は、コンピュータ装置１０１の中心部として演算処理を行なう演算装置であるＣＰＵ（Ｃｅｎｔｒａｌ  Ｐｒｏｃｅｓｓｉｎｇ  Ｕｎｉｔ）１０３と、装置を動作させるためのプログラムおよびプログラムで必要なグラフィックデータ、音声データ、撮影された画像や撮影画像に対して入力した編集画像、撮影画像と編集画像を合成した合成画像（これら撮影画像、編集画像、合成画像のいずれかがサーバへ送信する写真画像となりうる）、その他の各種画像などを記憶する記憶部（これは、ＨＤＤ（ハードディスクドライブ）１０４により構成される）と、プログラムの一時的な作業領域ともなるメモリ１０５と、カメラ、各種モニタ、プリンタなどの周辺機器を制御するためのソフトウェアであるドライバ（不図示）と、必要に応じて磁気ディスクや光ディスクや光磁気ディスク、またはＰＨＳユニット４１を装着する入出力インターフェイス（不図示）とを備える。なお、本実施の形態において、コンピュータ装置１０１は画像提供サーバ２０１とネットワークを介して通信するために、ＰＨＳカードを差込可能なＰＨＳユニット４１と接続している。さらにコンピュータ装置１０１は、外部機器と通信を行うための通信部１０６を備えている。
【００４９】
コンピュータ装置１０１は、電源の投入および切断を制御する電源スイッチが押され、本装置に電源プラグより電源が投入されると、プログラムが起動されて動作を開始する。コンピュータ装置１０１は、接続されるカメラ１０のシャッタタイミングや、タッチパネルディスプレイ１１での表示および入力や、プリンタ６０１での出力を制御する。コンピュータ装置１０１は、接続されるディスプレイ４０での表示およびタブレットペン４２による入力を制御する。プリンタ６０１は、コンピュータ装置１０１からの信号に従い、シールを印刷する。シールには、ユーザが撮影、編集した画像がプリントされ、さらに画像提供サーバ２０１にメールを送るためのメールアドレスと、ユーザが選択した画像を取得するための照合ＩＤとがプリントされる。
【００５０】
コンピュータ装置１０１のＣＰＵ１０３は、カメラ１０が撮像する映像（ライブ映像）と、記憶部１０４に記憶されている撮影動作に関する指示や操作画面とをタッチパネルディスプレイ１１に表示する。タッチパネルディスプレイ１１への表示は、プログラムに応じてライブ映像のみを表示したり、操作画面を表示したり、ライブ映像と操作画面とを合成して表示したり、別の画面を表示したりする。クロマキー合成処理を行う場合には、カメラ１０で得られた画像に対し、クロマキキャプチャボード１７が画像処理を行う。
【００５１】
ライブ映像と撮影動作に関する情報や操作画面との合成はコンピュータ装置１０１の記憶部１０４に記憶されているソフトウェアで行なってもよいし、このような合成をするための専用の制御装置（基板）をタッチパネルディスプレイ１１に接続するなどハードウェアで行なってもよい。
【００５２】
また、コンピュータ装置１０１は、上記プログラムの実行や、タッチパネルディスプレイ１１に含まれるタッチパネルから受信した、利用者の指などでタッチされる入力操作にしたがった指示信号に基づいて、制御基板１０２に対して制御信号を送信する。コンピュータ装置１０１は、ディスプレイ４０に含まれるタッチパネルから受信した、タブレットペン４２でタッチされる入力操作に従った指示信号に基づいて、制御基板１０２に対して制御信号を送信する。
【００５３】
タッチパネルは、モニタ（ディスプレイ）の上に積層されている。タッチパネルは、利用者の指などが触れられることによる入力を検出する。
【００５４】
タッチパネルディスプレイ１１には、コンピュータ装置１０１から送信されるデータが表示される。コンピュータ装置１０１から送信されるデータとは、カメラ１０から撮像される映像や撮影指示や選択肢などの画像であり、これらを適宜画面に表示することによって、撮影時の映像の視覚確認、操作選択の受付けや各種誘導案内などを行なう。
【００５５】
ディスプレイ４０は、タブレットペン４２からの入力を検出する。タブレットペン４２での入力操作によってディスプレイ４０により検出されたデータ信号は、コンピュータ装置１０１に送信される。ディスプレイ４０には、コンピュータ装置１０１から送信されるデータが表示される。したがって、利用者が落書きなどを入力している最中は、落書きなどが施された撮影画像が、ディスプレイ４０に表示される。すなわち、利用者はディスプレイ４０に表示された撮影画像に対して、タブレットペン４２を使用して、その上に編集入力処理を行なうことができる。
【００５６】
プリンタ６０１は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、写真シール作成装置は、プリンタ６０１でシールが印刷されるものとして説明を行なうが、印刷媒体はシールに限定されず、他の印刷媒体であっても同様の処理が実行される。
【００５７】
プリンタ６０１は、上述の用紙切れなどの状態をコンピュータ装置１０１に通知する。コンピュータ装置１０１は、その状態に応じて制御基板１０２に制御信号を送信する。
【００５８】
なお、コンピュータ装置１０１に各々接続される構成要素はこのような形態に限定されず、機能ごとに分かれていたり、位置ごとに分かれていたりしてもよい。さらに、コンピュータ装置１０１は２台以上で構成されていてもよい。
【００５９】
制御基板１０２は、コンピュータ装置１０１および電源制御部の他に、コイン制御部１１２、サービスパネル１１３、他の表示部５０３、スピーカ５０４、およびストロボ制御部１１０などに接続される。さらに制御基板１０２は、景品を提供するための提供装置７０に含まれるマイコン７０７および景品排出機構７０４に接続されてもよい。
【００６０】
コンピュータ装置１０１は、撮影用スピーカ４５０、編集用スピーカ４６、ならびにプリントコーナーの非接触通信装置９７、タッチパネル９２、ディスプレイ９５およびスピーカ９６に接続される。
【００６１】
コイン制御部１１２は、コイン投入口に投入されたコインの正当性を検出し、制御基板１０２にコインが投入されたことを示す検出信号を送信する。
【００６２】
制御基板１０２は、コンピュータ装置１０１から受信した制御信号にしたがって、コイン制御部１１２に対して制御信号を送信する。コイン制御部１１２は、該制御信号にしたがって、コインが投入されないようにコイン投入口をブロックするか、コイン投入口に投入されたコインをコイン排出口から排出することができる。コイン制御部１１２は、前者の場合はコインブロッカとして機能し、後者の場合はコインキャンセラとして機能する。このことで、プレイ中にコイン投入を禁止することができる。
【００６３】
ストロボ制御部１１０は、カメラ１０におけるシャッタタイミングに応じた同期信号を取得する。そして、カメラ１０のシャッタタイミングに同期させて、ストロボ１５を発光させるように制御する。なお、ストロボ制御部１１０は制御基板１０２と接続され、発光させるストロボ１５などの閃光照明装置の選定や、ストロボ１５の発光度の設定がなされる。蛍光灯２７などの常灯照明装置も同様に制御基板１０２と接続され、その照明度合いなどの設定がなされるようにしてもよい。
【００６４】
コンピュータ装置１０１は、撮影用スピーカ４５０に対して指示信号を送信し、写真シール作成装置の撮影プレイにおける操作などの案内やＢＧＭ（Ｂａｃｋ  Ｇｒｏｕｎｄ  Ｍｕｓｉｃ）などを出力する。同様にコンピュータ装置１０１は、編集用スピーカ４６に指示信号を送信し、写真シール作成装置の編集プレイにおける操作などの案内やＢＧＭなどを出力する。なお、撮影用スピーカ４５０または編集用スピーカ４６の音声のボリュームを調整する音量調整つまみは、サービスパネル１１３に備えられる。
【００６５】
サービスパネル１１３は、投入されたコインの枚数をカウントするコインカウンタ、印刷されたプリントの枚数をカウントするプリントカウンタ、撮影用スピーカ４５０または編集用スピーカ４６から出力する音声のボリュームを調整する音量調整つまみ、テストモードを行なうためのテストボタン、コインを投入しなくても装置が利用できるようにするためのサービスボタン等を備えるパネルであって、写真シール作成装置の設置者が各種設定やメンテナンスの操作を行なう際に用いる。サービスパネル１１３は、サービスボタンの操作などの制御操作が行なわれると、その操作にしたがった制御信号を制御基板１０２に対して送信する。
【００６６】
制御基板１０２は、コンピュータ装置１０１から受信した制御信号にしたがって、サービスパネル１１３に対して制御信号を送信する。サービスパネル１１３は、該制御信号に従って、コインカウンタやプリントカウンタを動作させる（例えばカウンタを１インクリメントする）。
【００６７】
さらに、コンピュータ装置１０１は、プリンタ６０１の状態に応じた制御信号を受信し、該制御信号にしたがって、ディスプレイ４０の表示を制御する。
【００６８】
ＰＨＳユニット４１は、ＰＨＳカードを差込むことによって通信部として機能する。本写真シール作成装置は、ＰＨＳカードによって、コンピュータ装置１０１の記憶部１０４に記憶された写真画像および必要な情報などを外部に送信し、サーバから送信される情報を受信し記憶部１０４に記憶する。この点については、後に詳細を説明する。
【００６９】
ディスプレイ４０に入力を行なうためのタブレットペン４２は、左右のユーザのそれぞれに対応する２つが設けられる。
【００７０】
なお、言うまでもなく、写真シール作成装置の形態は図２〜図７に示される具体例に限定されるものではない。すなわち、図２〜図７に記載されない他の機能が備えられていてもよいし、図２〜図７に記載されている機能の必ずしも全てが備えられていなくても構わない。
【００７１】
図８は、１人目のユーザの送信写真選択処理においてディスプレイ９５に表示される画面を示す図である。
【００７２】
写真の撮影、編集画像の選択、および選択された編集画像における画像の編集が終了すると、作成された印刷データに基づきシールシートの印刷が開始される。印刷中に、図８に示される送信写真選択画面が表示される。これは、１人目のユーザにユーザの携帯端末装置に送信する写真（画像）を選択させるための画面である。なお、ここでは複数人からなるグループで撮影を行った状況を想定しており、「１人目のユーザ」とは、そのグループ中の１人目のユーザを示している。
【００７３】
図８を参照して、１人目のユーザは撮影画像や編集後の画像から所望のものを選択し、それをサーバへ送信することができる。
【００７４】
ここでは、７枚の写真が表示される。この７枚の写真は、撮影や編集により作成された画像である。なお、ここでは撮影、編集で作成した写真を全て表示して選択を受付けることとしているが、編集画像の選択で選択された写真だけを表示してもよい。また編集画像の選択で選択された編集前の写真画像と、その写真に対して編集が行なわれた編集後の写真画像を一覧で表示して、選択させても構わない。
【００７５】
画像提供サーバ２０１には、合計７枚の写真が１セットになって送信されるものとする。また、ユーザが選択した画像を特定するための情報が送信される。
【００７６】
図９は、図８の画面で送信画像の選択後にディスプレイ９５に表示される通信を行う画面を示す図である。
【００７７】
この画面は、選択を受付けた写真画像の取得をユーザに可能とするために、ユーザの携帯端末装置に、サーバへアクセスするための情報を送信するための画面である。この画面は、非接触通信装置９７に携帯端末装置の近距離通信部をタッチさせることをユーザに促すための画面である。
【００７８】
また、図９の画面の下に表示された「アドレスを入力して画像をＧＥＴ」のボタンは、携帯端末装置に近距離通信部が備えられていないユーザなどに対応するためのボタンであり、このボタンが押下されると、図１１の画面が表示され、ユーザからメールアドレスの入力を受け付けることとなる。
【００７９】
図１０は、図９の画面でユーザの携帯端末装置に、サーバへアクセスするための情報が送信された場合における、ユーザの携帯端末装置に表示される画面を示す図である。
【００８０】
図に示されるように、非接触通信装置９７に携帯端末装置の近距離通信部をタッチさせると、その携帯端末装置には、サーバへアクセスするためのＵＲＬ（Ｕｎｉｆｏｒｍ  Ｒｅｓｏｕｒｃｅ  Ｌｏｃａｔｏｒ）が転送され、その画面にそのＵＲＬが表示される。ＵＲＬの末尾には、そのユーザが図８の画面で選択した写真画像を特定するための照合ＩＤが含まれている。ここでは照合ＩＤは、「５ｆ６ｂ５ａ７ｏｂａｄａｅｃｄ４」の文字列である。ユーザが図１０の画面において、ＵＲＬを選択（クリック）することで、サーバと携帯端末装置とで通信が行われる。
【００８１】
図１１は、図９の画面で「アドレスを入力して画像をＧＥＴ」が押下されたときにディスプレイ９５に表示されるメールアドレス入力画面を示す図である。
【００８２】
この画面のアドレス入力部を用いてユーザは、自己の携帯端末装置のアドレスを入力することができる。なお、自己の携帯端末装置以外の、例えばＥメールアドレスや友人の携帯端末装置のアドレス等、好みのメールアドレスの入力が可能となっている。図１１のアドレス入力部の上部には携帯端末装置のキャリアをそれぞれ表すボタンが４つ表示されているが、このボタンを押すことにより、決まったドメイン名が＠マークの右側の表示部に表示され入力される。また、＠マークの左側に、少なくとも１文字以上が入力されたかを判定して、これらボタンを表示しボタン入力を受けつけるようにしてもよい。これにより、誤入力を防ぐことができる。
【００８３】
図１２は、図９の画面での携帯端末装置のタッチ後、または図１１の画面でのアドレスの入力後に、ディスプレイ９５に表示される通信を行う画面を示す図である。
【００８４】
この画面は、実質的に図８の画面と同じであるが、２人目のユーザが撮影画像や編集後の画像から所望のものを選択するための画面であることが明確にされている。
【００８５】
図１２の画面で選択が行われると、ディスプレイ９５には、図９の通信を行う画面が表示される。図９の画面で「アドレスを入力して画像をＧＥＴ」が押下されたときには、ディスプレイ９５には、図１１のメールアドレス入力画面が表示される。すなわち、１人目のユーザに対する画像の選択処理、および携帯端末装置のタッチ処理（またはメールアドレス入力処理）が行われた後に、２人目のユーザに対する画像の選択処理、および携帯端末装置のタッチ処理（またはメールアドレス入力処理）が行われる。
【００８６】
続いて３人目以降のユーザに対する処理が行われるが、それは以下のように行われる。
【００８７】
図１３は、３人目のユーザの送信写真選択処理においてディスプレイ９５に表示される画面を示す図である。
【００８８】
ここでは、１人目のユーザが選択した写真と、２人目のユーザが選択した写真とが表示される。３人目のユーザは、この２つの写真のうちのいずれかを選択する。３人目以降のユーザに対しては、図８または１２の画面による７枚の写真からの選択を受け付けずに、１人目のユーザが選択した写真と、２人目のユーザが選択した写真とのいずれかの選択を受け付けるものである。
【００８９】
図１３の画面で選択が行われると、ディスプレイ９５には、図９の通信を行う画面が表示される。図９の画面で「アドレスを入力して画像をＧＥＴ」が押下されたときには、ディスプレイ９５には、図１１のメールアドレス入力画面が表示される。すなわち、２人目のユーザに対する画像の選択処理、および携帯端末装置のタッチ処理（またはメールアドレス入力処理）が行われた後に、３人目のユーザに対する画像の選択処理、および携帯端末装置のタッチ処理（またはメールアドレス入力処理）が行われる。
【００９０】
４人目以降のユーザに関しては、３人目のユーザと同様の処理が行われる。選択した写真は、ＷＥＢサイト会員でなくても取得可能となる。このため、仮に２枚以上の選択を可能とすると、ＷＥＢサイト会員の獲得に悪影響となる。そのため、１プレイでの選択できる枚数を所定枚数（２枚）に制限している。さらには、新たな別の写真は選択できないものの、その数以上のユーザからのアクセスを可能にしているため、全体としてサイトへのアクセス数が増え、ＷＥＢサイト会員の獲得に効果的である。
【００９１】
図１４は、ユーザが選択した画像を取得するための処理を説明するための図である。
【００９２】
図１４（Ａ）は、図１１の画面でユーザがメールアドレスを入力したときの処理を示す図である。写真シール作成装置に入力されたメールアドレスは、画像提供サーバ２０１に送信される。画像提供サーバ２０１は、そのメールアドレスに、選択された画像にアクセスするためのメールを送信する。当該メールの本文には、画像取得の準備ができた旨と、その画像を取得するためのＵＲＬとが記載されている。ＵＲＬには、ユーザが選択した画像に対応する照合ＩＤが含まれる。これにより、そのメールアドレスを有する携帯端末装置には、画像取得の準備ができた旨と、その画像を取得するためのＵＲＬとが記載された画面（Ｄ３）が表示される。
【００９３】
画面Ｄ３のＵＲＬをユーザがクリックすると、照合ＩＤに対応する写真画像をユーザに取得させるための第２の画面（Ｄ２）が携帯端末装置に表示される。第２の画面（Ｄ２）においては、ユーザが選択した画像が表示されており、ユーザはこの画像をダウンロードして携帯端末装置に記憶させることができる。
【００９４】
図１４（Ｂ）は、図１０の画面でＵＲＬがクリックされたときの処理を示す図である。
【００９５】
ステップＳ９０１において、ＵＲＬにより携帯端末装置からのアクセスを受け付けた画像提供サーバ２０１は、照合ＩＤと端末ＩＤとを取得する。その照合ＩＤに対応する画像が写真シール作成装置から届いているかを画像提供サーバ２０１の制御部は判定する。ＹＥＳであれば、照合ＩＤに対応する写真画像をユーザに取得させるための第２の画面（Ｄ２）が携帯端末装置に表示される。第２の画面（Ｄ２）においては、ユーザが選択された画像が表示されており、ユーザはこの画像をダウンロードして携帯端末装置に記憶させることができる。端末ＩＤとは、携帯端末装置ごとに付与されるＩＤであって、その携帯端末装置を他の携帯端末装置と区別するための固有のＩＤである。
【００９６】
ステップＳ９０１においてＮＯであれば、写真シール作成装置からまだ照合ＩＤに対応する画像が届いていないことを意味している。このとき、画像提供サーバ２０１の制御部は、ステップＳ９０３において端末ＩＤと照合ＩＤとを関連付けて保存する。また、リクエストにおける照合ＩＤに対応する写真画像の取得をユーザに待機させるための第１の画面（Ｄ１）を携帯端末装置に表示させる。
【００９７】
第１の画面（Ｄ１）は、端末ＩＤ毎に準備される画面である。第１の画面においては、写真シール作成装置からまだ対応する画像が届いていない照合ＩＤに対しては、「準備中」の表示がなされる。「準備中」の表示に対応付けて、その照合ＩＤで初めて携帯端末装置からサーバへのアクセスがあった日時、および照合ＩＤから読み取ることができる撮影が行われた写真シール作成装置の機種名が表示される。
【００９８】
第１の画面（Ｄ１）において、写真シール作成装置から対応する画像が届いた照合ＩＤに対しては、「ＮＥＷ」の表示がなされる。「ＮＥＷ」の表示に対応付けて、その照合ＩＤに対応する画像が撮影された日時（これは、撮影画像のデータに含まれている）、および撮影が行われた写真シール作成装置の機種名の情報が表示される。その情報がユーザによりクリックされると、その照合ＩＤに対応する第２の画面（Ｄ２）が表示される。「ＮＥＷ」の表示がなされた画面（Ｄ１）は、第２の画面（Ｄ２）を表示させるための画面となる。
【００９９】
また、第１の画面（Ｄ１）において、「更新」ボタンが押下されると、その画面の再読込が行われる。更新において画像提供サーバ２０１は、端末ＩＤと関連付けて保存されている照合ＩＤに対応する画像の登録状況（プレイ情報の有無）を確認し、新たに写真シール作成装置から画像が届いていれば、「準備中」の表示が「ＮＥＷ」の表示となる。
【０１００】
図１４（Ｃ）は、ユーザが写真シール作成装置で取得したシールに記載されたメールアドレスを携帯端末装置に入力し、空メールを送ったときの処理を示す図である。画像提供サーバ２０１は、当該メールを受信し、そのメールへの返信メールとして、選択された画像にアクセスするためのメールを送信する。当該メールの本文には、画像を取得するためのＵＲＬが記載されている。当該ＵＲＬをユーザがクリックすると、携帯端末装置には、照合ＩＤを入力させるための画面（Ｄ４）が表示される。画面（Ｄ４）は、端末ＩＤ毎に準備される画面である。
【０１０１】
画面（Ｄ４）において、ユーザがシールに印刷された照合ＩＤを入力すると、照合ＩＤに対応する写真画像をユーザに取得させるための第２の画面（Ｄ２）が携帯端末装置に表示される。第２の画面（Ｄ２）においては、ユーザが選択された画像が表示されており、ユーザはこの画像をダウンロードして携帯端末装置に記憶させることができる。
【０１０２】
また、画像提供サーバ２０１には、端末ＩＤ毎に過去の画像の閲覧履歴が記録されており、過去の閲覧画像へのリンクが画面（Ｄ４）に表示される。そのリンクがクリックされると、その履歴に対応する写真画像をユーザに取得させるための第２の画面（Ｄ２）が携帯端末装置に表示される。
【０１０３】
さらに画面（Ｄ４）には、その携帯端末装置を用いて図９の画面で送信を行った画像を取得するためのリンク（「かざしてＧＥＴ」）が表示される。そのリンクがクリックされると、その端末ＩＤに対応する第１の画面（Ｄ１）が表示される。
【０１０４】
図１５〜１８は、写真シール作成装置１ａ、携帯端末装置２０５、および画像提供サーバ２０１の動作を示すフローチャートである。
【０１０５】
点線で囲まれる各ステップの処理が、写真シール作成装置１ａ、携帯端末装置２０５、および画像提供サーバ２０１それぞれの処理に該当する。
【０１０６】
図１５を参照して、ユーザが写真シール作成装置１ａにコインを投入すると、ステップＳ１０１において画像セットＩＤ、および照合ＩＤの要求が画像提供サーバにｈｔｔｐリクエストとして行なわれる。ステップＳ１０３において写真シール作成装置１ａは、画像セットＩＤ、および照合ＩＤをサーバからのｈｔｔｐレスポンスとして受信する。画像セットＩＤは、１プレイで作成される画像群を特定するためのものであり、１つ取得される。照合ＩＤは、ユーザが選択した画像を特定するためのＩＤである。１回のプレイで２つの選択を許容するため、照合ＩＤは２つ取得される。すなわち、２つの照合ＩＤは、図８と図１２での１人目と２人目での選択のそれぞれに対応する。３人目以降は、１人目または２人目の選択した画像のいずれかを図１３で選択するため、２つの照合ＩＤのいずれかを用いることで選択画像を特定することができる。なお、これら情報（画像セットＩＤ、および照合ＩＤ）の要求と受信は、ユーザが写真シール作成装置を利用していない待機中に行ってもよい。その場合、複数回のプレイ分の情報を取得してもよい。
【０１０７】
ステップＳ１０５において、写真シール作成装置１ａは、画像作成処理を実行する。これは、ユーザの撮影を複数回行ない、その中から左右の各ユーザに編集（落書き）を行なう画像を選択させる処理、および画像の編集を受付ける処理を含む。
【０１０８】
ステップＳ１０７において、各ユーザに自分の携帯端末装置に送信する画像を選択させる処理が行われる。これは、図８〜１３を用いて説明した内容と同様である。
【０１０９】
ステップＳ１１１においては、画像提供サーバに対して、送信の対象となっている画像データと各種情報の送信が行なわれる。各種情報とは、ステップＳ１０３で取得された画像セットＩＤ、および照合ＩＤ、ならびに少なくとも１つのメールアドレスが図１１の画面で入力されている場合には、そのメールアドレスなどである。
【０１１０】
ステップＳ１１３で送信すべき全画像が送信済みとなったかが判定され、ＹＥＳとなるまでステップＳ１１１の処理を繰返す。ＹＥＳとなれば、次のユーザのプレイの処理に移り、ステップＳ１０１からの動作を行なう。なお、全画像を一度に画像提供サーバに送信してもよい。
【０１１１】
図１６を参照して、画像提供サーバの動作について説明する。
【０１１２】
画像セットＩＤ、および照合ＩＤの要求が写真シール作成装置からあると、ステップＳ２０１において画像提供サーバは、画像セットＩＤ（１つ）と、照合ＩＤ（２つ）とを作成する。なおＩＤの送信は、写真シール作成装置からのリクエストに応答して行うのではなく、任意のタイミングで画像提供サーバ２０１から写真シール作成装置へ送信してもよい。送信されたＩＤのうち、写真シール作成装置が使用しないＩＤがあってもよい。
【０１１３】
ステップＳ２０７において、画像セットＩＤ（１つ）、および照合ＩＤ（２つ）が写真シール作成装置に対して送信される。
【０１１４】
写真シール作成装置から、画像データや各種情報が送信されてくると、ステップＳ２０９において、それらの保存処理を行なう。画像データは画像ストレージ２０１ｃ−１に、各種情報は画像情報テーブル２０１ｃ−２に保存される。
【０１１５】
図２０は、画像ストレージ２０１ｃ−１と画像情報テーブル２０１ｃ−２との構成を示す図である。
【０１１６】
画像情報テーブル２０１ｃ−２は、画像個別の情報を管理するものである。画像セットＩＤは、１回のプレイ毎に異なるＩＤである。画像セットＩＤと画像ＩＤとの２項目で１つの画像が特定される。
【０１１７】
画像ストレージ２０１ｃ−１に保存される実画像ファイルは、ファイル名として、画像セットＩＤと画像ＩＤとを組合わせた名前が付与され、関連付けが行なわれる。
【０１１８】
ここでは画像セットＩＤとしては８桁の数字が用いられており、１つの画像セットに含まれる画像のそれぞれを特定するための画像ＩＤとして、数字が用いられている。これら数字が画像情報テーブル２０１ｃ−２に記録される。
【０１１９】
また、ＩＤに対応する画像には、画像セットＩＤと、「０」と、画像ＩＤとを組み合わせたファイル名が付されて画像ストレージ２０１ｃ−１に保存される。
【０１２０】
画像などの保存後において、ステップＳ２１１でその画像がユーザにより選択された画像か否かを判断する。ＮＯであれば処理を終了し、ＹＥＳであればステップＳ２１５に進む。このステップＳ２１１の判定は、写真シール作成装置から送信されてくる画像が複数となることより、複数枚のうち、写真シール作成装置でユーザが選択した画像を区別できるようにするためのものである。
【０１２１】
ステップＳ２１５において、ユーザごとのプレイ情報、および照合ＩＤをプレイ情報テーブル２０１ｃ−３に保存する。
【０１２２】
図２１は、プレイ情報テーブル２０１ｃ−３の構成を示す図である。
【０１２３】
プレイ情報テーブルは、ユーザ毎のプレイ情報を管理するテーブルである。１プレイごとに画像セットＩＤが付与され、ユーザが選択した画像が照合ＩＤにより特定される。また、その画像を選択したユーザのメールアドレスが図１１の画面で入力されているのであれば、そのアドレスが記録される。また、ユーザの携帯端末装置からアクセスがあったのであれば、その端末ＩＤが登録される。
【０１２４】
ステップＳ２１５での処理の後、ステップＳ２１７においてユーザのメールアドレスが図１１の画面で取得できているかを判定する。ＹＥＳであるときには、ステップＳ２１９で照合ＩＤを含むＵＲＬを記載したメールを、そのユーザのメールアドレスに送信する。これにより、ユーザの携帯端末装置に図１４の画面Ｄ３が表示される。メールを受信した携帯端末装置は、図１５に示されるように「接続２」の処理を行なう。
【０１２５】
図１７は、図１５の接続１および２での携帯端末装置の処理を示すフローチャートである。
【０１２６】
「接続１」は、図９の画面により携帯端末装置が写真シール作成装置と近距離通信を行って、図１０の画面から画像提供サーバ２０１にアクセスが行われる状態を示している。図１７のステップＳ２５１において、写真シール作成装置１ａは、携帯端末装置に送信する照合ＩＤを含むＵＲＬを作成し、それを非接触通信装置９７を用いて携帯端末装置に送信する。
【０１２７】
ステップＳ３０１で、携帯端末装置において、近距離通信でＵＲＬと照合ＩＤとを取得する処理が行なわれる。ステップＳ３０３において、携帯端末装置に図１０の画面が表示され、携帯端末装置から画像提供サーバ２０１にアクセス（ｈｔｔｐリクエスト）が行われる。
【０１２８】
「接続２」は、図１４（Ａ）の処理を示している。図１７のステップＳ３０５で、ＩＤが含まれるＵＲＬを記載したメールを受信する処理が行なわれる。これにより、図１４の画面Ｄ３が携帯端末装置に表示される。ステップＳ３０７で照合ＩＤが含まれるＵＲＬにアクセスが行なわれる。これを受けて、ステップＳ３０９で携帯端末装置の表示部２１１に図１４の画面Ｄ２が表示される。
【０１２９】
図１８は、接続１および２での画像提供サーバ２０１の処理を示すフローチャートである。
【０１３０】
図１７のステップＳ３０３において、携帯端末装置からリクエストがあると、画像提供サーバ２０１はステップＳ４０１で、照合ＩＤと端末ＩＤとを対応付けて保存する。
【０１３１】
ステップＳ４０３において、携帯端末装置から送られた照合ＩＤに基づいて、プレイ情報テーブル２０１ｃ−３を検索する（同じ照合ＩＤが登録されているか判定する）。
【０１３２】
ステップＳ４０５で、同じ照合ＩＤが登録されていると判断されたのであれば、ステップＳ４０９で、リクエストにおける照合ＩＤに対応する写真画像をユーザに取得させるための第２の画面（Ｄ２）を、リクエスト元の携帯端末装置に表示させるべく、データを送信する処理が行われる。
【０１３３】
データは、図１７のステップＳ３０９に示されるように携帯端末装置で受信され、これにより携帯端末装置にリクエストにおける照合ＩＤに対応する写真画像をユーザに取得させるための第２の画面（Ｄ２）が表示される。また、当該写真画像をユーザは携帯端末装置からダウンロードし、携帯端末装置に保存することができる。
【０１３４】
図１８のステップＳ４０５において、同じ照合ＩＤが登録されていないと判断されたのであれば、ステップＳ４０７で、リクエストにおけるＩＤに対応する写真画像の取得をユーザに待機させるための第１の画面（Ｄ１）を、リクエスト元の携帯端末装置に表示させるべく、データを送信する処理が行われる。
【０１３５】
データは、図１７のステップＳ３１１に示されるように携帯端末装置で受信され、これにより携帯端末装置にリクエストにおけるＩＤに対応する写真画像の取得をユーザに待機させるための第１の画面（Ｄ１）が表示される。ユーザから第１の画面（Ｄ１）の更新のリクエストがあると、画像提供サーバ２０１は、再度図１８のステップＳ４０７の処理を行い、プレイ情報の有無に応じて更新された第１の画面（Ｄ１）を携帯端末装置に表示させる。
【０１３６】
「接続２」においては、ＩＤが含まれるＵＲＬを記載したメールを携帯端末装置で受信したユーザは、そのＵＲＬにアクセスする（図１７のステップＳ３０７）。携帯端末装置でのｈｔｔｐリクエストがあれば、画像提供サーバは、図１８のステップＳ４１１でＵＲＬから照合ＩＤを取得する。さらに、プレイ情報テーブル２０１ｃ−３から対応する照合ＩＤを検索することで、そのＩＤに対応するプレイ情報を取得する。
【０１３７】
ステップＳ４１３において、プレイ情報に基づき、対応する画像情報と画像ファイルとが画像ストレージ２０１ｃ−１および画像情報テーブル２０１ｃ−２から取得される。
【０１３８】
ステップＳ４１５において、取得された情報に基づいて、画像を表示するためのＨＴＭＬデータと画像データとが携帯端末装置に送信される。携帯端末装置では、図１７のステップＳ３０９の処理が行われる。
【０１３９】
図１９は、図１５のステップＳ１０７での処理を示すフローチャートである。
【０１４０】
図を参照して、ステップＳ７０１において、ユーザが携帯端末装置に送信したい画像を決定する処理が行われる。これは、１人目のユーザであれば図８の画面を、２人目のユーザであれば図１２の画面を、３人目以降のユーザであれば図１３の画面を表示し、ユーザの選択を受け付ける処理である。
【０１４１】
その後、近距離通信（ステップＳ７０３）またはメールアドレス入力（ステップＳ７０５）により、ステップＳ７０１で選択された画像を送信する携帯端末装置を特定する処理が行われる。近距離通信は、図９の画面が表示された状態で行われ、メールアドレス入力は、図１１の画面が表示された状態で行われる。
【０１４２】
ステップＳ７０７で、次のユーザがおらず更なる送信をする必要がない場合、または制限時間が経過した場合にはメインルーチンへ戻り、そうでなければステップＳ７０１からの処理を行う。
【０１４３】
以上の処理により、ユーザは画像を表示するためのＨＴＭＬデータと画像データとを取得することができる。ここで表示される画像（写真シール作成装置で作成された画像）を、携帯端末装置が有する画像保存機能を用いて、ユーザは携帯端末装置に取り込むことが可能である。また、近距離通信を使用することができないユーザは、従来通りのメールアドレスを入力する方式を用いることができる。
【０１４４】
ユーザがメールアドレスを入力する従来の装置においては、時間的な制約によって入力できるメールアドレス数に限界があった（通常、１〜２人分が限界だった）。
【０１４５】
このため、多人数のユーザでプレイを行なった場合、全員がメールアドレスを入力する事が困難であった。画像提供サーバのＩＤとアクセス用パスワードとをシール上に印字し、それをユーザが入力する事によって全てのユーザの携帯端末装置に画像を提供する、という方法もあるが、この方法ではメールアドレスを入力するよりも手間がかかり、不便である。
【０１４６】
本実施の形態のように近距離通信を用いることで、このような不便さを解消することができる。近距離通信でのデータ転送は非常に高速であるため、制限時間内に多くのユーザの携帯端末装置と通信を行うことができる。これにより、メールアドレスを入力する場合よりも多くのユーザに画像を提供する事が可能となる。また、ユーザは自己のメールアドレスを写真シール作成装置の運営者に教えなくても、所望の画像を取得することができる。さらにユーザは、図１４の第１の画面（Ｄ１）をブックマークとして登録しておけば、以後その画面から、写真シール作成装置で作成された画像を取得することができる。すなわち、第１の画面（Ｄ１）は、端末ＩＤに基づいて作成されるそのユーザ専用の画像取得のための画面となり、ユーザは、過去や将来の撮影で得られた画像を第１の画面（Ｄ１）を介して得ることができるようになる。
【０１４７】
［第２の実施の形態］
【０１４８】
なお、上記実施の形態では、近距離通信により携帯端末装置が照合ＩＤを含むＵＲＬを取得することとしたが、写真シール作成装置は、画像提供サーバ上にアップロードされた画像を閲覧するための照合ＩＤを含むＵＲＬをＱＲコードで表示することとしてもよい。ユーザは、携帯端末装置のカメラで、ＱＲコードを読取るだけで画像を取得することができる。
【０１４９】
図２２は、第２の実施の形態における写真シール作成装置１ａと、画像提供サーバ２０１と、携帯端末装置２０５との動作を示すフローチャートである。
【０１５０】
ユーザが写真シール作成装置１ａを利用するときに、ステップＳ６０３において写真撮影、および画像編集（落書き）などが行なわれる。このとき、ステップＳ６０１において画像提供サーバ２０１から各種ＩＤが送信される。
【０１５１】
ステップＳ６０５において、ユーザにより選択された画像やＩＤの情報などが画像提供サーバ２０１にアップロードされる。ステップＳ６０７において、画像提供サーバ２０１は、ＩＤに対応付けて画像を保存する（なお、以上の処理は実質的に第１の実施の形態と同様である）。
【０１５２】
ステップＳ６０９において、照合ＩＤに対応するＱＲコードがディスプレイ９５に表示される。このＱＲコードは、照合ＩＤに対応するユニークなＱＲコードであり、照合ＩＤに対応する画像を携帯端末装置に表示させるＵＲＬを含むものである。
【０１５３】
ステップＳ６１１において携帯端末装置２０５でＱＲコードの読取りが行なわれると、それに含まれるＵＲＬを用いて、携帯端末装置２０５は画像提供サーバ２０１とｈｔｔｐによる通信を行なう。ステップＳ６１３において、画像提供サーバ２０１は、携帯端末装置２０５に照合ＩＤに対応する画像を送信する。
【０１５４】
本実施の形態においては、ユーザは直接的にＵＲＬにアクセスすることができるが、写真シール作成装置の運営者側においては、付加的サービスを実施する為のユーザのメールアドレスを取得できない。
【０１５５】
［その他］
【０１５６】
図１４の画面Ｄ１を表示させるためのデータは、画像提供サーバ２０１のＣＰＵが以下のステップを実行することで作成することができる。
【０１５７】
（１）画像提供サーバ２０１へアクセスがあった携帯端末装置の端末ＩＤを、画像提供サーバ２０１のＣＰＵが取得するステップ、
【０１５８】
（２）取得された端末ＩＤに対応する照合ＩＤを、図１８のステップＳ４０１での保存データ、およびプレイ情報テーブル２０１ｃ−３から検索するステップ、
【０１５９】
（３）検索された照合ＩＤについて、プレイ情報テーブル２０１ｃ−３に登録されていなかったものについて、「準備中」の表示をし、その照合ＩＤで画像提供サーバ２０１に初めてアクセスがあった日時をあわせて表示し、さらに、照合ＩＤから特定される撮影の行われた写真シール作成装置を表示するステップ、および
【０１６０】
（４）検索された照合ＩＤについて、プレイ情報テーブル２０１ｃ−３に登録されているものについて、「ＮＥＷ」の表示をし、その照合ＩＤでの写真撮影日時をあわせて表示し、さらに、照合ＩＤから特定される撮影の行われた写真シール作成装置を表示するステップ。
【０１６１】
なお上記第２の実施の形態では、コードの一例としてＱＲコードを例示したが、バーコード、２次元バーコードなどの携帯端末装置で読取ることができる他のコードを表示することとしてもよい。コードは表示の形で出力してもよいし、例えば電波や赤外線を用いて出力し、それを利用者の携帯端末装置で読取るようにしてもよい。
【０１６２】
なお、写真シール作成装置においては、１回の撮影で１枚の写真画像を生成する場合もあれば、複数回の撮影で１枚の写真画像を生成する場合もある。また、これら撮影によって得られた写真画像に編集を行ないそれぞれ編集された写真画像を生成する場合もある。さらに、カメラなどの撮影機能を備えない写真シール作成装置を構成することも可能である。この場合はカメラによる撮影に代えて、記憶媒体や通信回線から写真画像を取込む。このように写真シール作成装置において色々な方法で生成される写真画像を含む意味において生成手段としている。
【０１６３】
また、上述の写真シール作成装置のコンピュータ装置１０１や画像提供サーバ２０１の制御方法を、プログラムとして提供することもできる。このようなプログラムは、コンピュータに付属するフレキシブルディスク、ＣＤ−ＲＯＭ、ＤＶＤ−ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、電気通信回線や衛星通信回線などのネットワークを通じて、プログラムを提供することもできる。
【０１６４】
提供されるプログラム製品は、ハードディスクなどのプログラム格納部にインストールされて実行される。なお、プログラム製品は、プログラム自体と、プログラムが記録された記録媒体とを含む。
【０１６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１６６】
【図１】本発明の実施の形態の１つにおける写真シール作成装置のネットワーク接続例を示す図である。
【図２】本発明の実施の形態の１つにおける写真シール作成装置の外観を撮影コーナー側から見た斜視図である。
【図３】本発明の実施の形態の１つにおける写真シール作成装置の外観をプリントコーナーおよび落書きコーナー側から見た斜視図である。
【図４】撮影コーナーの内部からカメラ１０が存在する方向を見た図である。
【図５】撮影コーナーの内部からカメラ１０が存在する方向とは逆の方向を見た図である。
【図６】プリントコーナーおよび落書きコーナーを拡大した図である。
【図７】写真シール作成装置の機能構成の具体例を示す図である。
【図８】１人目のユーザの送信写真選択処理においてディスプレイ９５に表示される画面を示す図である。
【図９】図８の画面で送信画像の選択後にディスプレイ９５に表示される通信を行う画面を示す図である。
【図１０】図９の画面でユーザの携帯端末装置に、サーバへアクセスするための情報が送信された場合における、ユーザの携帯端末装置に表示される画面を示す図である。
【図１１】図９の画面で「アドレスを入力して画像をＧＥＴ」が押下されたときにディスプレイ９５に表示されるメールアドレス入力画面を示す図である。
【図１２】図９の画面での携帯端末装置のタッチ後、または図１１の画面でのアドレスの入力後に、ディスプレイ９５に表示される通信を行う画面を示す図である。
【図１３】３人目のユーザの送信写真選択処理においてディスプレイ９５に表示される画面を示す図である。
【図１４】ユーザが選択した画像を取得するための処理を説明するための図である。
【図１５】写真シール作成装置１ａ、携帯端末装置２０５、および画像提供サーバ２０１の動作を示すフローチャートである。
【図１６】写真シール作成装置１ａ、携帯端末装置２０５、および画像提供サーバ２０１の動作を示すフローチャートである。
【図１７】写真シール作成装置１ａ、携帯端末装置２０５、および画像提供サーバ２０１の動作を示すフローチャートである。
【図１８】写真シール作成装置１ａ、携帯端末装置２０５、および画像提供サーバ２０１の動作を示すフローチャートである。
【図１９】図１５のステップＳ１０７での処理を示すフローチャートである。
【図２０】画像ストレージ２０１ｃ−１と画像情報テーブル２０１ｃ−２との構成を示す図である。
【図２１】プレイ情報テーブル２０１ｃ−３の構成を示す図である。
【図２２】第２の実施の形態における写真シール作成装置１ａと、画像提供サーバ２０１と、携帯端末装置２０５との動作を示すフローチャートである。
【符号の説明】
【０１６７】
１ａ〜１ｃ，２ａ，２ｂ  写真シール作成装置
４１  ＰＨＳユニット
９２  タッチパネル
９５  ディスプレイ
９７  非接触通信装置
１０１  コンピュータ装置
１０４  記憶部
２０１  画像提供サーバ
２０１ａ  通信部
２０１ｂ  制御部
２０１ｃ  記憶部
２０５ａ〜２０５ｃ  携帯端末装置
２０７  通信部
２０９  操作部
２１１  表示部
２１３  記憶部
２１５  カメラ
６０１  プリンタ
Ｄ１  第１の画面
Ｄ２  第２の画面
【図１】
0005526349.tif 000002
【図２】
0005526349.tif 000003
【図３】
0005526349.tif 000004
【図４】
0005526349.tif 000005
【図５】
0005526349.tif 000006
【図６】
0005526349.tif 000007
【図７】
0005526349.tif 000008
【図８】
0005526349.tif 000009
【図９】
0005526349.tif 000010
【図１０】
0005526349.tif 000011
【図１１】
0005526349.tif 000012
【図１２】
0005526349.tif 000013
【図１３】
0005526349.tif 000014
【図１５】
0005526349.tif 000015
【図１６】
0005526349.tif 000016
【図１７】
0005526349.tif 000017
【図１８】
0005526349.tif 000018
【図１９】
0005526349.tif 000019
【図２０】
0005526349.tif 000020
【図２１】
0005526349.tif 000021
【図２２】
0005526349.tif 000022
【図１４】
0005526349.tif 000023